(57)【特許請求の範囲】
【請求項１】
把手に入力される操作を伝達軸を介してラッチに伝え、これにより係留位置にあるラッチの解除を行い得るようにしたものにおいて、
前記把手の回転軸を伝達軸から離間した位置に平行に設け、把手の回転を伝達部を介して伝達軸に伝達し得るようにしており、
前記伝達部が、把手側に設定した係合部と、伝達軸側に設定した係合部とを回転円周上で係合させて、係合部同士が回転しながら係合位置を変化させるようにしたものであるとともに、
前記把手の回動につれて前記係合部同士の係合位置が伝達軸の中心から遠ざかることによる伝達率の低下を補う湾曲ないし屈曲する形状を少なくとも何れかの係合部に付与していることを特徴とする開閉装置。
【請求項２】
回転軸が把手の一端側に位置し、把手の他端側に係合部が位置し、把手の指を掛けるための操作縁部が一端側に変位させて設けられ、回転軸の軸心から係合部までの距離が伝達軸の軸心から係合部までの距離よりも長く設定されている請求項１記載の開閉装置。
【請求項３】
伝達軸側の係合部を、当該伝達軸に一体回転可能かつ軸方向スライド可能に設けた伝達部材上に設定し、施解錠機構によって伝達部材を、係合部同士が係合する解錠位置と係合部同士が解離する施錠位置とに選択的に移動させ得るようにしている請求項１または２記載の開閉装置。
【請求項４】
把手は、指を掛ける操作縁部と、この操作縁部に隣接して手指挿入空間となる凹所とを具備し、前記操作縁部を含めてこの凹所の周囲の縁部全体を把手部材として一体的に設けて、その把手部材の一端側に回転軸を設定し他端側に伝達軸と係り合う係合部を設けている請求項２記載の開閉装置。
【請求項５】
把手がヒンジ部に取り付けられた開閉部材に付帯するものであり、把手の回転軸を開閉部材の反吊元側の端部側に設定し、伝達軸をこの回転軸よりも開閉部材の吊元側へ変位した位置に設定している請求項１〜３のいずれかに記載の開閉装置。
【請求項６】
開閉部材が、筐体の収納空間を開閉する扉であり、把手、回転軸、伝達部及び伝達軸が扉に設けられ、ラッチ受けが筐体の前端面に開口して設けられている請求項１〜５のいずれかに記載の開閉装置。
【発明の詳細な説明】
【技術分野】
【０００１】
本発明は、把手及びラッチのより適切な配置を実現可能とした開閉装置に関するものである。
【背景技術】
【０００２】
多くの収納装置には、ラッチ機構が実装されている。この種のラッチ機構は、筐体の開口縁にラッチ受けを形成する一方、筐体を閉止する扉の反吊元側の縁部近傍にラッチを設けて、扉を閉じたときにラッチをラッチ受けに係合させてこの扉を筐体に係留するものである。並びに、扉の面板部に把手を可動に取り付け、さらに把手とラッチとを軸心回りに回転する伝達軸を介し接続して、把手に加えられる操作力をラッチに伝達して、ラッチとラッチ受けとの係合を解除し、扉を開けることを可能としている。
【０００３】
また、この種の収納装置には、ラッチ機構とともに施解錠機構が備わっている場合が多い。施解錠機構は、ラッチの係留位置で把手を操作不能、または把手を操作してもラッチに操作力が伝わらない状態にするもので、閉扉時にラッチを係留位置に保持するようにしている。
【特許文献１】特開２００６−３２８８２５号公報
【発明の開示】
【発明が解決しようとする課題】
【０００４】
ところで、把手は通常、伝達軸に取り付けられ、把手の操作はダイレクトに伝達軸を介してラッチに伝達される。
【０００５】
しかして、上記特許文献の把手は、把手ケース内に左右何れの縁部をも操作縁部とするように把手が両回転可能に配置され、両側に手指挿入空間となる凹所が設けて、多様な操作を可能にしているものであるが、把手の操作縁部を極力扉の反吊元側の縁部に近づけて配置する必要がある場合には、一般的なもの、すなわち把手の一端側に回転軸が取り付けられ他端側を操作縁部とする従前のものを用いることが望ましい。
【０００６】
しかしながら、ラッチの先端は通常、平面視鉤形ないし鎌形をなしており、閉止位置で後方に突出して筐体の前面に設けたラッチ受けに係合するものである。したがって、伝達軸を扉の反吊元側の縁部に近づける際にも、ラッチの先端が扉の縁部よりも外側に突出しないように、特に両開きの扉などではラッチの係留先であるラッチ受けを左右のラッチの係りしろを十分に確保した状態で設けなければならないことから、伝達軸を扉の縁部に近づけるには限界がある。さりとて、伝達軸を縁部から遠い位置に設けて把手の軸を兼ねる共通軸とし、操作縁部を縁部側に設定すると、ラッチ解除の操作方向とこれに引き続く開閉部材の開成操作方向とが渾然一体になるため、操作に違和感がある上に、扉を開いている最中にも把手がぐらついて不安定な状態となる。
【０００７】
本発明は、このような課題に着目してなされたものであって、係留動作を的確に行うためのラッチ等の位置と、好ましい操作性や外観を得るための把手の位置とを好適に両立させた開閉装置を実現することを目的としている。
【課題を解決するための手段】
【０００８】
本発明は、かかる目的を達成するために、次のような手段を講じたものである。
【０００９】
すなわち、本発明の開閉装置は、把手に入力される操作を伝達軸を介してラッチに伝え、これにより係留位置にあるラッチの解除を行い得るようにしたものにおいて、
【００１０】
把手に入力される操作を伝達軸を介してラッチに伝え、これにより係留位置にあるラッチの解除を行い得るようにしたものにおいて、前記把手の回転軸を伝達軸から離間した位置に平行に設け、把手の回転を伝達部を介して伝達軸に伝達し得るようにしており、前記伝達部が、把手側に設定した係合部と、伝達軸側に設定した係合部とを回転円周上で係合させて、係合部同士が回転しながら係合位置を変化させるようにしたものであるとともに、前記把手の回動につれて前記係合部同士の係合位置が伝達軸の中心から遠ざかることによる伝達率の低下を補う湾曲ないし屈曲する形状を少なくとも何れかの係合部に付与していることを特徴とする。
【００１１】
このように構成すると、把手の軸とラッチの伝達軸とを共通軸で兼ねる場合に比して、把手とラッチの位置関係に自由度が得られる。このため、係留動作を的確に行うためのラッチの位置と、好ましい操作性や外観を得るための把手の位置とを好適に両立させること等が可能となる。
【００１２】
そして、伝達部を、把手側に設定した係合部と、伝達軸側に設定した係合部とを回転円周上で係合させて、係合部同士が回転しながら係合位置を変化させる構成としているので、把手の動作を伝達軸に簡素に伝達することができる上に、前記２つの係合部の形状や突出量などのパラメータを通じて種々の伝達条件を設定できるため、２軸にしたことによる利点を追求することも可能である。
【００１３】
また、把手の回動につれて係合部同士の係合位置が伝達軸の中心から遠ざかることによる伝達率の低下を補うべく、湾曲ないし屈曲する形状を少なくとも何れかの係合部に付与しているので、把手の操作角度とラッチの回転角度との適切な調整を容易に図ることが可能となる。
【００１４】
僅かな操作量でラッチを適切に作動させるためには、回転軸が把手の一端側に位置し、把手の他端側に係合部が位置し、把手の指を掛けるための操作縁部が一端側に変位させて設けられ、回転軸の軸心から係合部までの距離が伝達軸の軸心から係合部までの距離よりも長く設定されていることが効果的である。
【００１５】
施解錠機構を簡素かつラッチに負担なく構成するためには、伝達軸側の係合部を、当該伝達軸に一体回転可能かつ軸方向スライド可能に設けた伝達部材上に設定し、施解錠機構によって伝達部材を、係合部同士が係合する解錠位置と係合部同士が解離する施錠位置とに選択的に移動させ得るようにしていることが望ましい。
【００１６】
把手の好ましい実施の態様としては、指を掛ける操作縁部と、この操作縁部に隣接して手指挿入空間となる凹所とを具備し、前記操作縁部を含めてこの凹所の周囲の縁部全体を把手部材として一体的に設けて、その把手部材の一端側に回転軸を設定し他端側に伝達軸と係り合う係合部を設けているものが挙げられる。
【００１７】
把手がヒンジ部に取り付けられた開閉部材に付帯する場合に、ラッチやラッチ受けを適切に配置でき、良好な操作性も確保するためには、把手の回転軸を開閉部材の反吊元側の端部側に設定し、伝達軸をこの回転軸よりも開閉部材の吊元側へ変位した位置に設定していることが好都合である。
【００１８】
具体的には、開閉部材が、筐体の収納空間を開閉する扉であり、把手、回転軸、伝達部及び伝達軸が扉に設けられ、ラッチ受けが筐体の前端面に開口して設けられている収納装置に適用して極めて有用なものとなり得る。
【発明の効果】
【００１９】
本発明は、以上説明した構成であるから、係留動作を的確に行うためのラッチやラッチ受けの位置と、好ましい操作性や外観を得るための把手の位置とを好適に両立させて、デザイン性とともに使い勝手を有効に追求できるようにした開閉装置を実現することが可能となる。
具体的には、本発明は把手側の回転軸とラッチ側の伝達軸の２軸構造をなしており、それぞれの軸に設定した係合部を回転円周上で係合させて、これらの係合部同士が回転しながら係合位置を変化させる構成としているので、把手の動作を伝達軸に簡素に伝達することができる上に、種々の伝達条件が設定可能となる。
そして、把手の回動につれて係合部同士の係合位置が伝達軸の中心から遠ざかることによる伝達率の低下を補うべく、湾曲ないし屈曲する形状をすくなくともいずれかの係合部に付与しているので、把手の操作角度とラッチの回転角度との適切な調整を容易に図ることが可能となる。
【発明を実施するための最良の形態】
【００２０】
以下、本発明の一実施形態を、図面を参照して説明する。
【００２１】
図１及び図２は、本実施形態の開閉装置である収納装置を示している。この収納装置は、収納空間を有する筐体１に一対の扉２をヒンジ部３を介して両開き可能に配置し、ラッチ機構Ａを介して扉２を筐体１の閉止位置に係留するようにしたものである。
【００２２】
ラッチ機構Ａは、筐体１の開口縁に上下にラッチ受け１１を形成する一方、筐体２を閉止する扉２の反吊元側の縁部２ａ近傍に上下に対をなすラッチ２１を設けて、扉２を閉じたときにラッチを２１対応するラッチ受け１１に係合させてこの扉２を筐体１に係留するものである。
【００２３】
また、扉２の反吊元側の縁部２ａよりにおいて、扉２の面板部２２に把手４を可動に取り付け、さらに把手４と上下のラッチ２１とを軸心回りに回転する伝達軸５を介し接続して、把手４に加えられる操作力をラッチ２１に伝達して、ラッチ２１とラッチ受け１１との係合を解除し、扉２を開けることを可能にしている。
【００２４】
ラッチ受け１１は、図３に示すように、例えば樹脂により作られて開口部１１ａを有するもので、鉤状あるいは鎌状をなすラッチ２１の先端２１ａがラッチ受け１１の開口部１１ａより進入して開口縁１１ｂに係り合う関係に設定している。ラッチ２１にはキックバネ２１ｂが付帯しており、先端２１ａが常に開口縁１１ｂに係り合う方向に向かって弾性により押し付けられている。
【００２５】
そして、本実施形態では、図４及び図５に示すように、把手４の回転軸４０を別途、伝達軸５から離間した位置に平行に設けて、把手４の回転を伝達部６を介して伝達軸５に伝達し得るようにしている。
【００２６】
具体的に説明すると、把手４は、図４及び図７に示すように、指を掛ける操作縁部４１と、この操作縁部４１に隣接して手指挿入空間となる凹所４２とを具備し、前記操作縁部４１を含めてこの凹所４２の周囲の縁部４３，４４，４５の全体を把手部材Ｂとして樹脂により一体成形している。そして、この把手部材Ｂを後述する伝達部材７や施解錠機構Ｄ等とともに把手ケースＣに収容し、この把手ケースＣを扉２の面板２２に設けた開口２２ａに取り付けている。回転軸４０は把手部材Ｂ上、扉２の反吊元側の縁部２ａに近い一端側に、扉２の厚み方向の前端側に変位させて設定され、操作縁部４１は把手部材Ｂ上、回転軸４０に近い位置に設定されており、凹所４２は操作縁部４１の隣接位置から当該操作縁部４１の背後に回り込むように、つまり図５に示すように扉２の吊元側の縁部２ｂから逃げる方向に斜め奥方に向けて形成してある。把手３が回転軸４０回りに回転すると、把手４全体が図５→図６実線に示すように回動して扉２の面板２２から斜めに突出することになるが、面板２２の開口縁２２ａは把手ケースＣの枠部によって化粧された状態を保つ。図６に示すように、把手４の回転方向と扉２の回転方向は逆の関係となる。
【００２７】
回転軸４０はほぼ扉２の面板２２上にあり、伝達軸５は扉２の面板２２の裏面に極力近づけた位置に配置されて上下にラッチ２１を直付けしていて、把手４は回転軸４０と伝達軸５との間で動作する。
【００２８】
伝達部６は、図４、図５及び図７に示すように、把手４側に設定した係合部６１と、伝達軸５側に設定した係合部６２とを回転円周上で係合させて、係合部６１、６２同士が回転しながら係合位置を変化させるようにしたものである。前記把手部材Ｂには、他端側の回動端ｂ１から伝達軸５に向かう方向に前記係合部６１が舌片状をなして突出させてあり、一方、伝達軸５には、樹脂製の伝達部材７が当該伝達軸５と一体回転可能かつ軸心方向にスライド可能に外嵌されて、この伝達部材７の外周から回転軸４０に向かう方向に前記係合部６２が舌片状をなして突出させてある。そして、伝達軸５側の係合部６２が前方に位置し、把手４側の係合部６１が後方に位置する関係で、係合部６１、６２同士を前後方向に重合させている。この実施形態では、伝達軸５は角柱状のもので、伝達部材７に設けた角孔に挿通させてある。
【００２９】
図５に示すように、回転軸４０の軸心から係合部６１までの距離は、伝達軸５の軸心から係合部６２までの距離よりも長く設定されており、また、操作縁部４１は回転軸４０よりに設けてあるので、図５→図６と操作する際に、操作縁部４０の操作量＜係合部６１の回動量となる関係があり、また、係合部６１の回動角＜伝達軸５の回転角となる関係がある。把手４の回動につれて係合部６１，６２同士の係合位置が伝達軸５の中心から遠ざかることによる伝達率の低下を補うべく、図８に拡大図示するように、伝達部材７の係合部６２に基端から先端に向かうにつれて漸次把手部材Ｂ側の係合部６１に近づく湾曲ないし屈曲した形状の伝達特性調整面６２ａが設けてある。このような面は把手４側の係合部６１に設けてもよいし、双方に設けることも可能である。
【００３０】
ところで、前記伝達部材７は、図７及び図９に示すように、扉２を閉止位置に選択的に施錠するための施解錠機構Ｄの構成要素ともなっている。この施解錠機構Ｄは、上記伝達部材７以外に、把手４の隣接位置において面板部２２に設けたシリンダ錠などの操作部７１と、この操作部７１に入力される操作に伴って上下に可動するデッドボルト等の可動部７２とを備え、この可動部７２の先端部７２ａを前記伝達部材７に設けた被係合部７ａに係り合わせて、伝達部材７の回転を妨げずに可動部７２の上下動に伝達部材７を追従させ得るようにしている。すなわち、この施解錠機構Ｄは、伝達部材７を、図７に示すように係合部６１，６２同士が係合して把手４の操作を伝達軸５に伝える解錠位置と、図９に示すように係合部６１，６２同士が解離して把手４が操作されても空転するだけでその操作を伝達軸５に伝えないようにする施錠位置とに選択的に移動させることで施解錠を実現するものである。
【００３１】
このように、本実施形態の開閉装置は、把手４に入力される操作を伝達軸５を介してラッチ２１に伝え、ラッチ受け１１に対して係留位置にあるラッチ２１を解除位置に移動させて開閉部材である扉２の開成を許容するとともに、施解錠機構Ｄによって把手４の操作によらずに扉２を閉止位置に施錠するようにしたである。
【００３２】
そして、本実施形態ではさらに、施解時の動作を利用してラッチ２１を係留位置からより深くラッチ受け１１に係り合う拘留位置に移動させるための変位惹起手段８（図７及び図９参照）を設けている。
【００３３】
この変位惹起手段８は、伝達軸５の回転を規制部８１で規制してラッチ２１の係留位置を規定し、開錠時と施錠時とでその規制位置を変化させるもので、図７並びに図９〜図１１に示すように、伝達部材７に把手ケースＣの奥部に向かう舌片状のカム８２を一体的に設ける一方、伝達部材７の昇降時にカム８２の移動領域に隣接して、把手ケースＣの内部にリブによる前記規制部８１を設けている。前述したように、ラッチ２１にはキックバネ２１ｂによって係留位置に向かうプリロードが掛かっており、伝達軸５も同方向に弾性付勢されているので、カム８２は常時規制部８１に弾接してオフセットされた状態にある。そして、解錠時にはカム８２は図７及び図１１に示すように規制部８１の上方に弾接し、ラッチ２１の先端の位置はラッチ受け１１に対して浅く係合した係留位置にある。このときの伝達軸５側の係合部６２の待機位置に対して、突起４の係合部６１は若干のクリアランスの下に対峙している。そして、把手４が操作されることにより、把手４の係合部６１が伝達軸５側の係合部６２をすくい上げ、図１１→図１２に示すようにカム８２が規制部８１から離れる方向に伝達部材７を伝達軸５とともに回転させる。
【００３４】
一方、施錠時に可動部７２が図７→図９に示すように下方へ移動すると、伝達部材７がスライド移動してその位置を変え、カム８２も規制部８１の下方に弾接する位置に変化する。ここで、本実施形態では前述した規制部８１に、図７に示す開錠時のカム８２に対する第1の規制位置ｐ１と、図９に示す施錠時のカム８２に対する第２の規制位置ｐ２とを設けており、第２の規制位置ｐ２は第１の規制位置ｐ１で静止されているカム８２から回転方向に逃げる方向に変位した位置にあって、両規制位置ｐ１、ｐ２の間を斜面によって接続している。そして、可動部７２の作動に伴って伝達部材７が図７→図９のように移動し、カム８２が図１１→図１３に示すように第１の規制位置ｐ１から第２の規制位置ｐ２に沿って倣い動作をしたとき、オフセット位置（オフセット角）が変化するために伝達部材７が伝達軸５を伴って回転変位を引き起こし、これによりラッチ２１の先端２１ａが図１１→図１３に示すように深くラッチ受け１１の開口縁１１ａに係合する拘留位置にまで回転するようにしている。
【００３５】
ラッチ２１は、腕部２１ｃが後方に延びて先端２１ａが鉤状に屈曲し、その屈曲部分の内縁２１ｄがラッチ受け１１の開口縁１１ａに深く係り合うように、腕部と屈曲部分との入隅が僅かに鋭角となるようなテーパ形状に抉ってある。そして、ラッチ受け１１の開口縁１１ａのうち、特に前記ラッチ２１の内縁２１ｄに係留位置で対向する面１１ａｘがこれと平行なテーパ形状になっている。つまり、扉２に図１１及び図１３に矢印ｆで示すような厚み方向の外力が働いても、図１１の状態に比べて図１３の状態の方が、ラッチ２１をラッチ受け１１により深く拘留させて、扉２のガタつきをより低減できる状態としている。
【００３６】
以上のように、本実施形態の開閉装置は、把手４に入力される操作を伝達軸５を介してラッチ２１に伝え、これにより係留位置にあるラッチ２１の解除を行うにあたり、把手４の回転軸４０を伝達軸５から離間した位置に平行に設け、把手４の回転を伝達部６を介して伝達軸５に伝達し得るようにしたものである。
【００３７】
このため、把手の軸とラッチの伝達軸とを共通軸で兼ねる場合に比して、把手４とラッチ２１の位置関係に自由度が得られ、係留動作を的確に行うためのラッチ２１の位置と、好ましい操作性や外観を得るための把手４の位置とを好適に両立させることが可能となる。具体的にこの実施形態では、ラッチ２１は伝達軸５とともに把手４の回転軸４０よりも吊元側に位置するので、鉤状をなす先端２１ａが扉２の縁部２ａよりも外側に突出することがなく、両開きの扉２においてラッチ２１の係留先であるラッチ受け１１を左右のラッチ２１の係りしろを十分に確保した上で、回転軸４０を極力扉２の縁部２ａに近づけて配置するという所期の目的を達成することができる。
【００３８】
そして、このような２軸構造において、伝達部６を、把手４側に設定した係合部６１と、伝達軸５側に設定した係合部６２とを回転円周上で係合させて、係合部６１、６２同士が回転しながら係合位置を変化させる構成としているので、把手４の動作を伝達軸５に簡素に伝達することができる上に、係合部６１，６２の形状や突出量などのパラメータを通じて種々の伝達条件を設定できるため、２軸にしたことによる利点を追求することも可能とある。勿論、把手４の回動方向と伝達軸５の回転方向が逆方向になり、伝達軸５にラッチ２１を直付けすることによりラッチ２１が逆方向に作動するため、ラッチ２１やラッチ受け１１の形状、係り合いによってラッチ２１を逆方向に作動させる方が望ましい場合に有効に採用可能な構造となる。
【００３９】
伝達特性の観点からすると、回転軸５が把手４の一端側に位置し、把手４の他端側に係合部６１が位置し、把手４の指を掛けるための操作縁部４１が一端側に変位させて設けられ、回転軸５の軸心から係合部６１までの距離が伝達軸５の軸心から係合部６２までの距離よりも長く設定されているので、僅かな把手４の回転角に対しても、増幅したラッチ２１の回転角を得ることができ、操作量も少なくて済んで、ラッチ操作が容易なものとなる。
【００４０】
また、把手４の回動につれて係合部６１，６２同士の係合位置が伝達軸５の中心から遠ざかることによる伝達率の低下を補うべく、湾曲ないし屈曲する形状の伝達特性調整面６２ａを係合部６２に付与しているので、把手４の操作角度とラッチ２１の回転角度との適切な調整を容易に図ることが可能となる。
【００４１】
さらに、そのうちの伝達軸５側の係合部６２を、当該伝達軸５に一体回転可能かつ軸方向スライド可能に設けた伝達部材７上に設定し、施解錠機構Ｄによって伝達部材７を、係合部６１，６２同士が係合する解錠位置と係合部６１，６２同士が解離する施錠位置とに選択的に移動させ得るようにしているので、把手４からラッチ２１までの伝達系を利用して施解錠機構Ｄを簡素に構成することができる。そして、施錠時に把手４と伝達軸５の間が切り離され、把手４は遊転状態になるので、把手４が無理に操作されてラッチ２１が損傷、破損する事態を有効に防止することができる。
【００４２】
把手４に関しては、指を掛ける操作縁部４１と、この操作縁部４１に隣接して手指挿入空間となる凹所４２とを具備し、操作縁部４１を含めてこの凹所４２の周囲の縁部４３，４４，４５全体を把手部材Ｂとして一体的に設けるとともに、その把手部材Ｂの一端側に回転軸４０を設定し他端側に伝達軸５と係り合う係合部６１を設けており、従来の操作レバーとしての外観を呈する操作縁部４１を含めて把手部材Ｂ全体が回動するので、操作縁部４１に加えられる操作をダイレクトに伝達軸５と係り合う係合部６１に伝えることができる。
【００４３】
そして、把手４をヒンジ部３に吊設された開閉部材である扉２に付帯させるに際して、把手４の回転軸４０を扉２の反吊元側の端部２ａ側に設定し、伝達軸５をこの回転軸４０よりも扉２の吊元側へ変位した位置に設定しているので、把手４を扉２の反吊元側の縁部２ａに近づける構成が可能になると同時に、図５→図６に示すように把手４を通じたラッチ解除の操作方向とこれに引き続く扉２の開成操作方向とが逆方向となるので、ラッチ２１や扉２に対して違和感なく安定した操作を実現することができる。
【００４４】
以上のように、本発明の開閉装置は、筐体１の収納空間を開閉する扉２を開閉部材として、把手４、回転軸４０、伝達部６及び伝達軸５を扉２に設け、筐体１の前端面に開口するラッチ受け１１に対してラッチ２１を作動させるようにした場合に極めて有用な効果を奏するものとなる。
【００４５】
なお、各部の具体的な構成は、上述した実施形態のみに限定されるものではなく、
本発明の趣旨を逸脱しない範囲で種々変形が可能である。
【図面の簡単な説明】
【００４６】
【図１】本発明の一実施形態に係る収納装置を示す斜視図。
【図２】同収納装置の扉裏面を示す斜視図。
【図３】同実施形態におけるラッチとラッチ受けの関係を示す図。
【図４】同実施形態における把手周辺の構造を示す分解斜視図。
【図５】同実施形態における把手と扉の関係を示す図。
【図６】同実施形態における把手と扉の作動説明図。
【図７】同実施形態における扉と伝達部材の関係を示す斜視図。
【図８】同実施形態における伝達部の構成を示す図。
【図９】図７に対応した作用説明図。
【図１０】図４におけるＸ部を一部取り除いて示す拡大斜視図。
【図１１】同実施形態の作用説明図。
【図１２】同実施形態の作用説明図。
【図１３】同実施形態の作用説明図。
【符号の説明】
【００４７】
１…筐体
２…開閉部材（扉）
３…ヒンジ部
４…把手
５…伝達軸
６…伝達部
７…伝達部材
２１…ラッチ
４０…回転軸
４１…操作縁部
４２…凹所
６１、６２…係合部
Ｂ…把手部材
Ｄ…施解錠機構
【図１】
0005110515.tif 000002
【図２】
0005110515.tif 000003
【図３】
0005110515.tif 000004
【図４】
0005110515.tif 000005
【図５】
0005110515.tif 000006
【図６】
0005110515.tif 000007
【図７】
0005110515.tif 000008
【図８】
0005110515.tif 000009
【図９】
0005110515.tif 000010
【図１０】
0005110515.tif 000011
【図１１】
0005110515.tif 000012
【図１２】
0005110515.tif 000013
【図１３】
0005110515.tif 000014